(57)【要約】【課題】  現在商品化されている翡翠枕は、弾力性を持たない木綿等の厚い布の表面に、多数の薄い角型の翡翠チップを一個ずつ縫い付けて固定したマット状のものであるため、普通の枕の上に乗せて使ことが必要であるが、使用中にずれるため安定せず、ゴツゴツし寝心地があまり良くないため翡翠の有する特有の治療効果を充分に得られず快適性に欠けるという課題を有していた。【解決手段】  本発明は、通気性を有する布の袋状体の頭接部分略球形状の翡翠玉を一面に重なり合わ無いように配置した構成の翡翠枕を現することにより、従来の翡翠枕の問題点を解決したものである。【選択図】              図１
2005253630.tif 000002
【特許請求の範囲】
【請求項１】
通気性を有する布により外形が略長方形に形成された袋状体、
該袋状体の内部に内包された頭部を支持するための内包材、
前記袋状体の上面の頭接部分に 通気性を有する布により形成され互いに接触して区画された複数の翡翠収納袋、
該翡翠収納袋の各々の区画に収納され略球形状の翡翠玉、
よりなり翡翠玉は、翡翠収納袋の中に一面に重なり合わずに収容される数が入れられていおり、凹凸が無く規則正しく平面状に配置されていることを特徴とする翡翠枕。
【請求項２】
請求項1において、翡翠収納袋の各々の区画に収納され略球形状の翡翠玉
の径は５〜１０ｍｍ好ましくは８ｍｍの翡翠玉が２０〜３０個収納されていることを特徴とする請求項１に記載の翡翠枕。
【請求項３】
通気性を有する布により外形が略長方形に形成された袋状体、
該袋状体の内部に内包された頭部を支持するための内包材、
その中心部に孔があけられた複数個の翡翠玉、
該複数個の翡翠玉の孔を貫通する固定糸により列状に固定保持された翡翠玉列、
該翡翠玉列を前記袋状体の上面の頭接部分に固定糸により互いに接触した状態で固定する固定手段、
よりなり翡翠玉が袋状体の上面の頭接部分に、凹凸が無く規則正しく配置されていることを特徴とする翡翠枕。
【請求項４】
請求項3において、その中心部に孔があけられた略球形状の翡翠玉の径は５〜１０ｍｍ好ましくは８ｍｍの翡翠玉であるることを特徴とする請求項１に記載の翡翠枕。
【請求項５】
請求項1乃至4において、通気性を有する布により外形が略長方形に形成された袋状体の内部に内包された頭部を支持するための内包材が蕎麦殻であることを特徴とする翡翠枕。
【発明の詳細な説明】
【技術分野】
【０００１】
本発明は、頭部を支持する蕎麦殻等の内包材の収納され袋状体の表面の頭接部分に翡翠を装着した翡翠枕に関するものである。
本発明の翡翠枕は、これを使用することにより快適な睡眠が得られ、健康増進や各種の治療効果を得ることができるものである。
【背景技術】
【０００２】
従来より安眠や、頭痛、神経痛、疲労回復等の治療を目的として、枕の内包物やカバー部分に木材などのチップ、薬草類、塩等の無機物質を使用した各種の枕が提案されその一部は商品化されている。
しかしながら、これらの枕は一般に一部の使用者には有効であるが、他の使用者にはあまり効果が無いことが普通で、多くの人に均一な効果を与えるものは少なかった。
この種の枕に使用される部材として、翡翠は古くから中国において健康増進や各種の病の治療効果があることが長年の経験により実証されており、翡翠を使用した枕も商品化されている。
【０００３】
【特許文献１】特開２０００−２９６５４号公報，
【特許文献２】特開２００１−３２７３８号公報，
【特許文献３】特開２００２−１１９４０２号公報，
【特許文献４】特開２００２−３００９５３号公報
【発明の開示】
【発明が解決しようとする課題】
【０００４】
現在商品化されている翡翠を使用した枕は、弾力性を持たない木綿等の厚い布の表面に、多数の薄い角型の翡翠チップを一個ずつ縫い付けて固定したマット状のものである。
このため、このマット状翡翠枕を使用する場合には、普通のウレタンや蕎麦殻を頭部を支持する内包材として使用した枕の上に乗せて使ことが必要であるが、使用中に枕とマット状翡翠枕がずれるため安定せず、その構造上ゴツゴツし寝心地があまり良くないため翡翠の有する特有の治療効果を充分に得られず快適性に欠けるという課題を有していた。
【課題を解決するための手段】
【０００５】
本発明は、通気性を有する布により外形が略長方形に形成されその内部に頭部を支持するための内包材を有する袋状体と、この記袋状体の上面の頭接部分に
通気性を有する布により形成され互いに接触して区画され略球形状の翡翠玉が一面に重なり合わずに収容された複数の翡翠収納袋を持った構成の翡翠枕、
又は、通気性を有する布により外形が略長方形に形成されその内部に頭部を支持するための内包材を有する袋状体と、この記袋状体の上面の頭接部分に
複数個の翡翠玉の孔を貫通する固定糸により列状に固定保持された翡翠玉列を袋状体の上面の頭接部分に固定糸により互いに接触した状態で固定した構成の翡翠枕
を現することにより、従来の翡翠枕の問題点を解決したものである。
【発明の効果】
【０００６】
本発明の翡翠枕は以下のような各種の効果が得られる。
（１）   翡翠が、通気性を有する布状体を区画した翡翠収納袋に適量収納され、又は翡翠玉の中心部の孔に通された固定糸で固定されているので、翡翠が布状体の一部分に集中して片寄ることがなく、頭部や首等からの汗や湿分が布状体を通過して翡翠により冷却され、翡翠による冷却作用が得られる。
（２）翡翠が通気性を有する布状体を区画した翡翠収納室に適量収納され、又は翡翠玉の中心部の孔に通された固定糸で固定されているので、適度の凹凸と固さとを有し、頭部や首等の荷重を分散して保持し快適な寝心地が得られるとともに、寝返りのたびに頭部や首等を柔らかく刺激し血液の循環を促進させることができ、寝心地が良く、より快適性の高い翡翠枕が実現できる。
（３）翡翠が通気性を有する布により外形が略長方形に形成されその内部に頭部を支持するための内包材を有する袋状体の頭接部分に配設されているので、頭部や首筋等を乗せて眠ると、頭部等によって暖められた袋状体のから温かい空気が上昇するとともに、冷たい空気が通気体から侵入し袋状体を冷却するので、袋状体から翡翠への空気の循環が起こり、翡翠による冷却作用が高められ頭部が冷却されて快適な睡眠が得られる翡翠枕を提供することができる。
（４）袋状体の厚みを調整することで、枕を寝心地のよい高さに調節することがで
き汎用性と快適性に優れた翡翠枕を提供することができる。
【発明を実施するための最良の形態】
【０００７】
以下、本発明の翡翠枕の実施の形態を、図面を参照しながら説明する。
図１，２は、本発明の翡翠枕の一実施例の説明図である。、図１は本発明の翡翠枕の
上面図、図２は図１の要部断面図を示す。
図１，２において、１は放湿性に優れた綿等の天然繊維、又はアクリル，ポリエステル等の化学繊維によって外形が略長方形に形成された通気性を有する袋状体である。
２は袋状体１に収納された頭部を支持するための蕎麦殻等の内包物である。
３は袋状体２の上面に形成された翡翠収納袋である。翡翠収納袋３は、短手方向及び長手方にほぼ一定の間隔で方形状に互いに接触して区画された複数の翡翠収納袋３１，３２，・・・３ｎにより構成されている。
４は翡翠収納袋３に収納された翡翠玉である。翡翠玉４はその径が８ｍｍ程度の略球形状の玉である。翡翠玉４の径は５〜１０ｍｍのものが使用できる。
翡翠玉４は、ひとつの翡翠収納袋３1，３２・・・３ｎに２０〜３０個が収納されており、翡翠収納袋３の中に一面に重なり合わずに収容される状態で収納されられている。
このため、各翡翠収納袋３1，３２・・・３ｎの翡翠玉４は翡翠収納袋の中に凹凸が無く規則正しく保持される。
翡翠収納袋３は袋状体１の頭接部分に各翡翠収納袋３1，３２・・・３ｎの縁部を縫着し袋状体１に固着されている。
【０００８】
このように構成された本発明の翡翠枕に頭部や首筋等を乗せて眠ると、袋状体１に収納された頭部を支持するための蕎麦殻等の内包物が頭の掲示用に変形し頭部を翡翠収納袋３を介して支持する。この場合翡翠収納袋３の翡翠玉４は凹凸が無く規則正しく配置されていので、違和感無く快適に頭部を支持することができる。
袋状体の厚みを調整することで、枕を寝心地のよい高さに調節することができる。
使用中に頭部等によって翡翠収納袋３の翡翠玉４と袋状体１の蕎麦殻等の内包物２が暖められ、暖められた翡翠玉４及び蕎麦殻等の内包物２から温かい空気が上昇する。
翡翠玉４及び蕎麦殻等の内包物２から温かい空気が上昇すると、冷たい空気が通気性を有する翡翠収納袋３と袋状体１の側面から侵入し、翡翠玉４及び蕎麦殻等の内包物２を冷却し、翡翠収納袋３と袋状体4から翡翠玉４及び蕎麦殻等の内包物への空気の循環が起こる。
一方、頭部や首筋等からの発汗による湿分が翡翠収納袋３及び袋状体1に吸収されると、放湿性に優れる翡翠収納袋３及び袋状体1は吸収した湿分を素早く分散させる。
分散された湿分は、一部が翡翠収納袋３及び袋状体1から翡翠玉４及び蕎麦殻等の内包物２へ循環する空気によって大気中に放散され、その他が翡翠４の収納された翡翠収納袋３内に浸入する。翡翠収納袋３内に浸入した湿分は、翡翠収納袋３に収納されている翡翠４により冷却される。
袋状体1の内包物２に蕎麦殻を使用すると上記の冷却効果がすぐれたものが実現できる。
【０００９】
図１，２に示した本発明の実施例の翡翠枕は
（１）翡翠が通気性を有する布状体を区画した翡翠収納袋に適量収納されているので、
翡翠が布状体の袋の一部分に集中して片寄ることがなく、頭部や首等からの汗や湿分が布状体を通過して翡翠に吸収され、翡翠による冷却作用により、熱や血圧を下げる効果が得られ、長期間使用することにより、頭痛、目眩、高血圧、脳血管の動脈硬化、神経衰弱等の改善に効き目がある。
（２）翡翠が布状体を区画した翡翠収納袋に適量収納されているので、適度の凹凸と固
さとを有し、頭部や首等の荷重を分散して保持し快適な寝心地が得られるとともに、翡翠の粒子の一つ一つが脳神経のつぼを刺激し、寝返りのたびに頭部や首等を柔らかく刺激し血液の循環を促進させることができる。
（3）翡翠に頭が接すると静電磁波が発生し、脳の中枢神経を刺激し、翡翠から発生するマイナスイオンにより頭をすっきりさせるリラックス効果が得られる。
（4）翡翠が収納された布状体の翡翠収納袋の下部に通気体を持った蕎麦殻が配設されているので、頭部や首筋等を乗せて眠ると、頭部等によって暖められた暖められた翡翠玉４及び蕎麦殻等の内包物2から温かい空気が上昇するとともに、冷たい空気が通気性を有する翡翠収納袋３と袋状体4の側面から侵入し、翡翠玉４及び蕎麦殻等の内包物を冷却し、翡翠収納袋３と袋状体1から翡翠玉４及び蕎麦殻等の内包物2への空気の循環が起こり、翡翠による冷却作用が高められ頭部が冷却されて快適な睡眠が得られる。
（5）翡翠収納袋３は袋状体１に縁部を縫着し袋状体１に固着されているので、寝返りをしても翡翠収納袋３と袋状体１とがずれずに快適性に優れる。
【００１０】
図３は、本発明の翡翠枕の他の実施例の説明図である。図３は本発明の翡翠枕の上面図、図４は図３の要部断面図である。
図３，４において、図１，２2と同一の部分には同一の符号を付けてある。
１は放湿性に優れた綿等の天然繊維、又はアクリル，ポリエステル等の化学繊維によって外形が略長方形に形成された通気性を有する袋状体である。２は袋状体１に収納された頭部を支持するための蕎麦殻等の内包物である。
５はその中心部に孔の空けられた翡翠玉である。翡翠玉５はその径が８ｍｍ程度のほぼ円形の玉状をしている。
６は翡翠玉の中心部の孔に通された翡翠玉の固定糸である。固定糸６には翡翠玉5が1０〜1５個とおされて翡翠玉列６１，６２，６３，・・６ｎが形成されており、袋状体１の表面の頭の接する部分に一列に並んだ状態での端部を袋状体１に固着されている。
このため、翡翠玉列６１，６２，６３，・・６ｎの翡翠玉は凹凸が無く平面状に規則正しく袋状体１に固着されている。
【００１１】
このように構成された図３，４に示した本発明の翡翠枕に翡翠枕に頭部や首筋などを乗せて眠ると、袋状体１に収納された頭部を支持するための蕎麦殻等の内包物が頭の掲示用に変形し頭部を翡翠玉列６１，６２，６３，・・６ｎの翡翠玉を介して支持する。
この場合翡翠玉列６１，６２，６３，・・６ｎの翡翠玉は凹凸が無く平面状に規則正しく袋状体１に固着されているので、違和感無く快適に頭部を支持することができる。
使用中に頭部等によって翡翠玉列６１，６２，６３，・・６ｎの翡翠玉５と袋状体４の蕎麦殻等の内包物4が暖められ、暖められた翡翠玉5及び蕎麦殻等の内包物4から温かい空気が上昇する。
翡翠玉５及び蕎麦殻等の内包物4から温かい空気が上昇すると、冷たい空気が通気性を有する翡翠玉列６１，６２，６３，・・６ｎの翡翠玉５と袋状体4の側面から侵入し、翡翠玉５及び蕎麦殻等の内包物を冷却し、翡翠玉列６１，６２，６３，・・６ｎの翡翠玉５と袋状体4から翡翠玉４及び蕎麦殻等の内包物への空気の循環が起こる。
一方、頭部や首筋等からの発汗による湿分が翡翠玉列６１，６２，６３，・・６ｎの翡翠玉5及び袋状体1に吸収され、放湿性に優れる袋状体1は吸収した湿分を素早く分散させる。
分散された湿分は、一部が翡翠玉列６１，６２，６３，・・６ｎの翡翠玉5及び袋状体１から翡翠玉５及び蕎麦殻等の内包物２へ循環する空気によって大気中に放散され、その他が翡翠玉列６１，６２，６３，・・６ｎの翡翠玉５の部分に浸入し、翡翠５により冷却される。
【００１２】
図３，４に示した本発明の実施例の翡翠枕は
（１）   翡翠玉列６１，６２，６３，・・６ｎの翡翠玉5が頭が直接接するが、翡翠が布状体の袋の一部分に集中して片寄ることがなく、頭部や首等からの汗や湿分が布状体を通過して翡翠に吸収され、翡翠による冷却作用により、熱や血圧を下げる効果が得られ、長期間使用することにより、頭痛、目眩、高血圧、脳血管の動脈硬化、神経衰弱等の改善に効き目がある。
（２）翡翠が布状袋の頭接部に直接装着されているので、適度の凹凸と固さとを有し、頭部や首等の荷重を分散して保持し快適な寝心地が得られるとともに、翡翠の玉の一つ一つが脳神経のつぼを刺激し、寝返りのたびに頭部や首等を柔らかく刺激し血液の循環を促進させることができる。
（3）翡翠に頭が接すると静電磁波が発生し、脳の中枢神経を刺激し、翡翠から発生するマイナスイオンにより頭をすっきりさせるリラックス効果が得られる。
（4）翡翠が収納された布状体の翡翠収納袋の下部に通気体を持った蕎麦殻が配設されているので、頭部や首筋等を乗せて眠ると、頭部等によって暖められた暖められた翡翠玉４及び蕎麦殻等の内包物２から温かい空気が上昇するとともに、冷たい空気が通気性を有する袋状体４の側面から侵入し、翡翠玉５及び蕎麦殻等の内包物を冷却し、袋状体1から翡翠玉５及び蕎麦殻等の内包物２への空気の循環が起こり、翡翠による冷却作用が高められ頭部が冷却されて快適な睡眠が得られる。
（5）翡翠玉５は袋状体１に糸を通して固着されているので、寝返りをしても翡翠玉５と袋状体１とがずれずに快適性に優れる。
【産業上の利用可能性】
【００１３】
本発明は寝具や健康器具産業で利用可能である。
【図面の簡単な説明】
【００１４】
【図１】本発明の翡翠枕の一実施例の説明図で、その上面図を示したものである。
【図２】図１の要部断面図を示示したものである。
【図３】本発明の翡翠枕の他の実施例の説明図で、その上面図を示示したものである。
【図４】図3の要部断面図を示示したものである。
【符号の説明】
【００１５】
１・・・放湿性に優れた通気性を有する袋状体、
２・・・袋状体１に収納された頭部を支持するための内包物、
３・・・袋状体２の上面に形成された翡翠収納袋、
３１，３２，・・・３ｎ・・・ほぼ一定の間隔で方形状に互いに接触して区画された複数の翡翠収納袋、
４・・・翡翠収納袋３に収納された翡翠玉、
５・・・その中心部に孔の空けられた翡翠玉、
６・・・翡翠玉の中心部の孔に通された翡翠玉の固定糸、
６１，６２，６３，・・６ｎ・・・翡翠玉5が1０〜1５個とおされて翡翠玉列、
【図１】
2005253630.tif 000003
【図２】
2005253630.tif 000004
【図３】
2005253630.tif 000005
【図４】
2005253630.tif 000006